(57)【要約】ビデオ装置は、第１ディジタルストリーム（YCbCr３）を生成するディジタルデコーダ（３８）と、第１アナログ信号（Ａ１）のビデオソース（２４）と、ビデオエンコーダ（４２）と、ビデオソース（２４）に接続可能でありかつ第１アナログ信号（Ａ１）に基づいて第２ディジタルストリーム（YCbCr１）を生成する第１ビデオデコーダ（２８）とを有している。スイッチ（４０）は、第１ビデオデコーダ（２８）およびディジタルデコーダ（３８）に結合されており、殊に第２ディジタルストリーム（YCbCr１）および第１ディジタルストリーム（YCbCr３）が、ビデオエンコーダ（４２）への出力ディジタル（YCbCrｏｕｔ）に混合される。
2005538579.tif 000002
【特許請求の範囲】
【請求項１】
ビデオ装置において、
−  第１ディジタルストリーム（YCbCr１；YCbCr２）を生成するディジタルデコーダ（６；３８）と、
−  第１アナログ信号のビデオソース（２；２４）と、
−  ビデオエンコーダ（１２；４２）と、
−  前記の第１アナログ信号（ＣＶＢＳｉｎ；Ａ１）に基づいて第２ディジタルストリーム（YCbCr２；YCbCr１）を生成する、上記ビデオソース（２；２４）に接続可能な第１ビデオデコーダ（４；２８）と、
−  前記の第１ビデオデコーダ（４；２８）およびディジタルデコーダ（６；３８）に結合されて、第２ディジタルストリーム（YCbCr２；YCbCr１）および第１ディジタルストリーム（YCbCr１；YCbCr２）をビデオエンコーダ（１２；４２）への出力データストリーム（YCbCrｏｕｔ）に混合することのできる混合手段（１０，Ｓｙｎｃ；４０，Ｓｙｎｃ）とを含むことを特徴とする
ビデオ装置。
【請求項２】
ディジタルエンコーダ（３０，３２）により、第２アナログ信号（Ａ２）に基づいて第３ディジタルストリームが生成され、
該ディジタルエンコーダ（３０，３２）は、上記ディジタルデコーダ（３８）に接続可能であり、これによって前記第３ディジタルストリームがディジタルデコーダ（３８）に転送される、
請求項１に記載のビデオ装置。
【請求項３】
前記のディジタルエンコーダ（３０，３２）には第２アナログ信号（Ａ２）をディジタル化するビデオデコーダ（３０）が含まれている、
請求項２に記載のビデオ装置。
【請求項４】
前記のディジタルエンコーダ（３０，３２）およびディジタルデコーダ（３８）は、ディジタルセレクタ（３４）を介してリンクされている、
請求項２または３に記載のビデオ装置。
【請求項５】
前記ディジタルセレクタ（３４）は、媒体インタフェース（３６）に接続されている、
請求項４に記載のビデオ装置。
【請求項６】
ビデオ装置において、
−  第１アナログビデオ信号（Ａ１）に基づいて第１ディジタルストリーム（YCbCr１）を生成する第１ビデオデコーダ（２８）と、
−  第２アナログビデオ信号（Ａ２）に基づいて第２ディジタルストリーム（YCbCr２）を生成する第２ビデオデコーダ（３０）と、
−  少なくとも第２ビデオデコーダ（３０）に接続可能でありかつ第２ディジタルストリーム（YCbCr２）に基づいて第３ディジタルストリーム（YCbCr３）を生成することのできるディジタルプロセッシングユニット（３２，３４，３６，３８）と、
−  前記の第１ビデオデコーダ（２８）およびディジタルプロセッシングユニット（３２，３４，３６，３８）に接続され、第１ディジタルストリーム（YCbCr１）または第３ディジタルストリーム（YCbCr３）を出力ディジタルストリーム（YCbCrｏｕｔ）として選択的にビデオエンコーダ（４２）に出力するディジタルスイッチ（４０）と含むことを特徴とする
ビデオ装置。
【請求項７】
前記ビデオエンコーダ（４２）は、前記出力ディジタルストリーム（YCbCrｏｕｔ）に基づいて出力アナログ信号（Ａｏｕｔ；Ｒｏｕｔ，Ｇｏｕｔ，Ｂｏｕｔ）を出力する
請求項６に記載のビデオ装置。
【請求項８】
前記ディジタルプロセッシングユニットは媒体インタフェース（３６）を含む、
請求項６または７に記載のビデオ装置。
【請求項９】
前記の媒体インタフェース（３６）は、第２ビデオデコーダ（３０）に接続可能であり、これによって前記第２ディジタルストリーム（YCbCr２）に基づいてデータが前記媒体に記録される、
請求項８に記載のビデオ装置。
【請求項１０】
前記の媒体インタフェース（３６）はディジタルスイッチ（４０）に接続可能であり、これによって前記媒体から取り出したデータに基づくディジタルストリームが前記デジタルスイッチ（４０）に出力される、
請求項８または９に記載のビデオ装置。
【発明の詳細な説明】
【技術分野】
【０００１】
本発明は、ビデオ装置に関する。
【０００２】
ディジタルビデオデータを使用するビデオ装置は、今日、広く使用されている。これらの装置ではディジタルビデオデコーダ（例えばＭＰＥＧデコーダ）により、到来するストリーム（例えば衛星から受信した、またはＤＶＤまたはハードディスクのような媒体から読み出したＭＰＥＧストリーム）が第１ディジタルストリーム（例えばITU−R BT.656標準に準拠した４：２：２ディジタルストリーム）にデコードされ、つぎにこれがビデオエンコーダによって、可視化可能（viewable）なアナログ信号に変換されるのである。
【０００３】
慣用的には別のソースからのアナログ信号を表示の前に上記の可視化可能なアナログ信号に挿入することができ、これによって例えばピクチャインピクチャ（ＰＩＰ＝Picture-in-picture）が得られる。挿入される上記のアナログ信号が、複数のソースから、また複数の形式（例えばＣＶＢＳ，ＳビデオおよびＲＧＢ）で到来する場合、この解決手段では、ビデオ信号の考えられ得るすべての組合せを包含できるようにするため、複数のタイプのアナログのミキサおよび複雑な接続が必要である。
【０００４】
さらにこの解決手段にはつぎのような欠点がある。すなわち、上記の混合された信号は、アナログ信号として利用できるのであるが（またはディジタルストリームとして出力するためにさらなるディジタルエンコーダ回路が必要である）、今日では付加的なコストなしにディジタルストリームとしても利用できるようにすることが望ましいのである。
【０００５】
本発明は殊にこの問題を解決しようとするものである。
本発明によって提案されるのは、第１ディジタルストリームを生成するディジタルデコーダと、第１アナログ信号のビデオソースと、ビデオエンコーダと、上記の第１アナログ信号に基づいて第２ディジタルストリームを生成する、上記ビデオソースに接続可能な第１ビデオデコーダと、上記の第１ビデオデコーダおよびディジタルデコーダに結合され、第２ディジタルストリームおよび第１ディジタルストリームをビデオエンコーダへの出力データストリームに混合することのできる混合手段とを含むビデオ装置である。
【０００６】
有利な実施形態によれば、
−  ディジタルエンコーダにより、第２アナログ信号に基づいて第３ディジタルストリームが生成され、このディジタルエンコーダは、上記ディジタルデコーダに接続可能であり、これによって第３ディジタルストリームがディジタルデコーダに転送される；
−  このディジタルエンコーダには、第２アナログ信号をディジタル化するビデオデコーダが含まれている；
−  上記のディジタルエンコーダおよびディジタルデコーダは、ディジタルセレクタを介してリンクされている；
−  このディジタルセレクタは、媒体インタフェースに接続されている。
【０００７】
また本発明により、第１アナログビデオ信号に基づいて第１ディジタルストリームを生成する第１ビデオデコーダと、第２アナログビデオ信号に基づいて第２ディジタルストリームを生成する第２ビデオデコーダと、少なくとも第２ビデオデコーダに接続可能でありかつ第２ディジタルストリームに基づいて第３ディジタルストリームを生成することのできるディジタルプロセッシングユニットと、第１ビデオデコーダおよび上記のディジタルプロセッシングユニットに接続されて、第１ディジタルストリームまたは第３ディジタルストリームを出力ディジタルストリームとして選択的にビデオエンコーダに出力するディジタルスイッチとを含むビデオ装置が提案される。
【０００８】
有利な実施形態では、
−  上記のビデオエンコーダは、上記の出力ディジタルストリームに基づいて出力アナログ信号を出力する；
−  上記のディジタルプロセッシングユニットは媒体インタフェースを含む；
−  この媒体インタフェースは第２ビデオデコーダに接続可能であり、これによって上記の第２ディジタルストリームに基づくデータが前記媒体に記録される；
−  上記の媒体インタフェースはディジタルスイッチに接続可能であり、これによって上記の媒体から取り出したデータに基づくディジタルストリームがデジタルスイッチに出力される。
【０００９】
本発明および本発明のその他の機能は、添付の図面を参照して行う以下の説明を考え合わせれば理解されよう。ここで、
−  図１は、ビデオ装置の概略図を示しており、
−  図２は、ディジタルビデオレコーダの概略図を示している。
【００１０】
以下の説明では簡単のため、信号は、複数のワイヤが必要であっても単一のワイヤで伝えられるように表されまた説明されている。
【００１１】
図１は、ＤＶＤプレーヤおよびチューナを内蔵するビデオ装置を表している。このようなタイプのビデオ装置は、例えばプラズマディスプレイのようにチューナを含まないディスプレイと一緒に使用するのが関心を引く。
【００１２】
このビデオ装置は、アナログビデオ信号のソース２を有しており、これはアンテナ２０において受信した信号からＣＶＢＳ信号を生成するチューナ１６（正確にはチューナフロントエンドである）と、ピンＡｉｎ，Ｒｉｎ，ＧｉｎおよびＢｉｎを有するScartコネクタとを含んでいる。ここでこれらのピンはそれぞれ、ディジタルセットトップボックスである別の装置から受信したＣＶＢＳ信号および例えばＲＧＢ信号を伝えるためのものである。
【００１３】
アナログ信号のソース２はまたアナログスイッチ１８を含んでおり、このスイッチによって、チューナ１６の出力およびScartコネクタ信号ＡｉｎのうちのどのＣＶＢＳ信号を出力ＣＶＢＳｉｎとして使用すべきかが選択される。
【００１４】
アナログビデオソース２の出力側におけるアナログ信号は、ビデオデコーダ４（例えばフィリップス社製のSAA7118 IC）に転送され、ITU−R BT.656標準（４：２：２ストリーム）に準拠するディジタルストリームYCbCr２が生成される。これは選択したアナログ信号と同じビデオシーケンスをディジタル的に表すものである。
【００１５】
その一方でこのビデオ装置はＤＶＤリーダ８も含んでおり、これはＤＶＤからＭＰＥＧストリームを読み出し、このＭＰＥＧストリームをＭＰＥＧデコーダ６，例えばSti5519に転送する。当然のことながらこのＤＶＤリーダの代わりに別のタイプの媒体リーダ、例えばハードディスクドライブ（ＨＤＤ）を使用可能である。ＤＶＤリーダ（すなわち媒体インタフェース）８から受信したＭＰＥＧストリームに基づいてＭＰＥＧデコーダ６は４：２：２ディジタルストリームYCbCr１を出力する。したがってこのディジタルストリームYCbCr１は、ビデオデコーダ４によるディジタルストリームYCbCr２出力と同じ形式に準拠する、ディスクから得られたビデオシーケンスのディジタル表現なのである。
【００１６】
ディジタルスイッチ１０は、第１入力側においてビデオデコーダ４からのディジタルストリームYCbCr２を受信し、第２入力側においてディジタルデコーダ６からのディジタルストリームYCbCr１を受信する。このビデオ装置のマイクロプロセッサ（図示せず）からの制御に依存して以下に詳しく説明するようにディジタルスイッチ１０は、ディジタルストリームYCbCr１およびYCbCr２のうちのいずれかを出力ディジタルストリームYCbCrｏｕｔとして選択的に出力する。
【００１７】
ディジタルスイッチ１０（および殊に出力ディジタルストリームYCbCrｏｕｔを伝えるその出力側）は、一方ではビデオエンコーダ１２に、また他方ではＤＶＩインタフェース１４に接続されている。
【００１８】
出力ディジタルストリームYCbCrｏｕｔに基づいてビデオエンコーダ１２は、（殊にディジタル−アナログ変換の後）可視化可能なアナログのビデオ信号をScartコネクタに出力する。このScartコネクタは（ＣＶＢＳ信号を伝える）ピンＡｏｕｔおよび（ＲＧＢ信号を伝える）ピンＲｏｕｔ，Ｇｏｕｔ，Ｂｏｕｔを有する。ビデオディスプレイをこの最終段のScartコネクタに接続することによって、出力ディジタルストリームYCbCrｏｕｔによって表されるビデオシーケンスを視覚化することができる。ＣＶＢＳ信号またはＲＧＢ信号は、ユーザの好みに応じて使用することができる。
【００１９】
さらにＤＶＩインタフェース１４は、出力ディジタルストリームYCbCrｏｕｔをＤＶＩフォーマットにしたがって変換し、相応するデータをディジタルコネクタＤｏｕｔに出力する。これは別のディジタル装置、例えばパーソナルコンピュータに接続するためである。
【００２０】
ディジタルスイッチ１０は、２つのメインモードにしたがい、マイクロプロセッサによって制御可能である。
【００２１】
第１モードではディジタルスイッチ１０は、ユーザの選択にしたがって、このビデオ装置によって出力されるビデオシーケンスを選択するために使用される。
【００２２】
第１の例として、ユーザが、ScartコネクタのＲｏｕｔ，Ｇｏｕｔ，Ｂｏｕｔピンに接続されているプラズマディスプレイで、チューナ１６から得られるチャンネルを見ようとする場合、マイクロプロセッサは、アナログスイッチ１８に指示してチューナ１６がビデオデコーダ４に接続されるようにし、ビデオデコーダ４に指示してＣＶＢＳｉｎ入力がソースとして使用されるようにし、またディジタルスイッチ１０に指示してビデオデコーダ４の出力YCbCr２が出力ディジタル信号YCbCrｏｕｔとして使用されるようにする。
【００２３】
第２の例として、ユーザが、ＤＶＤから得られる映画を見ようとする場合、マイクロプロセッサはディジタルスイッチ１０に指示して、ＭＰＥＧデコーダ６の出力YCbCr１が出力ディジタル信号YCbCrｏｕｔとして使用されるようにする。
【００２４】
第２モードではディジタルスイッチ１０は、ビデオ信号をピクチャインピクチャ方式で混合するために使用される。例えば、ユーザは、チューナ１６から得られるスケールダウンされた画像を、ＤＶＤから再生されるビデオシーケンスにスーパーインポーズすることを要求することがある。
【００２５】
これを実現するため、マイクロプロセッサはビデオデコーダ４に指示して、ディジタルストリームYCbCr２がスケールダウンされて生成されるようにし（フィリップ社製のSAA7118 ICのスケール機能を参照されたい）、またＭＰＥＧデコーダ６に同期化させる（ビデオデコーダ４からＭＰＥＧデコーダ６に転送される同期化信号Ｓｙｎｃにおかげで可能である）。つぎにマイクロプロセッサは、ディジタルスイッチ１０を制御して、ディジタルストリームYCbCr２のアクティブ部分がディジタルストリームYCbCr１にスーパーインポーズされるようにする。これは例えば特許明細書WO95 / 35 625に記載されている通りである。
【００２６】
第２モードの別の例として、上記とは異なり、スケーリングされたYCbCr１が、ＭＰＥＧデコーダ６から到来することがある。しかしながら同期化信号Ｓｙｎｃはビデオデコーダ４から到来するままである。
【００２７】
図２は、本発明によるディジタルビデオレコーダを示している。
【００２８】
このディジタルビデオレコーダは、ＣＶＢＳ信号を生成する復調器フロントエンド２２およびアナログチューナを有する。またこのビデオレコーダは、ＣＶＢＳ信号を伝えるピンＡｉｎおよびＲＧＢ信号を伝えるＲｉｎ，Ｇｉｎ，Ｂｉｎピンを有する第１Scartコネクタにおいてアナログビデオ信号を受信する。この第１Scartコネクタは例えばセットトップボックスに接続される。
【００２９】
このディジタルビデオレコーダは、２つのセレクタ２４および２６を含んでいる。セレクタ２４は、フロントエンド２２から得られるアナログ信号または第１ScartコネクタのピンＡｉｎから得られるアナログ信号を第１アナログビデオ信号Ａ１として選択的に出力する。同様にセレクタ２６も、フロントエンド２２から得られるアナログ信号または第１ScartコネクタのピンＡｉｎから得られるアナログ信号を第１アナログビデオ信号Ａ２として選択的に出力する。
【００３０】
各セレクタ２４，２６は、以下の説明を修正することなく、より多くの入力側を有することができ、したがって本発明は任意個のアナログ入力に適応可能である。
【００３１】
第１アナログビデオ信号Ａ１は、第１ビデオデコーダ２８に転送され、これはまたピンＲｉｎ，Ｇｉｎ，ＢｉｎからのＲＧＢ信号も受信する。マイクロプロセッサからの指示に依存して、第１ビデオデコーダ２８は、第１アナログビデオ信号Ａ１またはＲＧＢ信号をITU-R BT.656標準に準拠する第１ディジタルストリームYCbCr１（４：２：２ストリーム）に変換することができる。
【００３２】
第２アナログビデオ信号Ａ２は第２ビデオデコーダ３０にも転送され、このビデオコーダも同様にピンＲｉｎ，Ｇｉｎ，ＢｉｎからＲＧＢ信号を受信する。したがって第２ビデオデコーダ３０は、第２アナログビデオ信号Ａ２またはＲＧＢ信号を第２の４：２：２ディジタルストリームYCbCr２に変換することができる。
【００３３】
（図示しない）択一的な実施形態において、ＲＧＢ信号の複数のソースが利用可能であの場合には２つのＲＧＢスイッチを使用して、いずれのＲＧＢ信号を第１ビデオデコーダおよび第２ビデオデコーダに転送すべきであるかをそれぞれ選択することができる。これは、いずれのＣＶＢＳ信号を第１および第２ビデオデコーダに転送すべきであるかを選択するセレクタ２４および２６と同様である。
【００３４】
ＭＰＥＧエンコーダ３２は、第２ビデオデコーダ３０に結合されており、これによって第２ディジタルストリームYCbCr２はＭＰＥＧストリームに変換される。
【００３５】
ディジタルセレクタ３４（特許明細書EP 1 128 673において「マルチプレクサ」という語で記載されているようなもの）により、ＭＰＥＧエンコーダ３２と、媒体インタフェース３６と、ＭＰＥＧデコーダ３８との間の様々な接続が可能である。
【００３６】
媒体インタフェース３６は例えば、ハードディスクドライブ（ＨＤＤ）であり、これはこれはＭＰＥＧエンコーダ３２から得られるＭＰＥＧストリームハードディスクに記録し、またこのハードディスクからＭＰＥＧストリームを取り出すことができる。これはつぎにＭＰＥＧデコーダ３８に転送される。
【００３７】
例えばＤＶＤレコーダユニットなどの択一的な複数のタイプの媒体インタフェース３６を使用することができる。
【００３８】
ディジタルセレクタ３４のおかげでこのＭＰＥＧデコーダは、ハードディスクから取り出したＭＰＥＧストリーム（すなわち媒体インタフェースからのディジタルストリーム）またはＭＰＥＧエンコーダ３２によって生成されるＭＰＥＧストリームを選択的にデコードすることができる。選択されたＭＰＥＧストリームに基づいて、ＭＰＥＧデコーダ３８は４：２：２ディジタルストリーム（第３ディジタルストリーム）YCbCr３を出力する。
【００３９】
ディジタルスイッチ４０は、第１入力側において第１ディジタルストリームYCbCr１を受信し、また第２入力側において第３ディジタルストリームYCbCr３を受信する。ディジタルスイッチ４０は（図示しない）マイクロプロセッサによって制御されて、選択的に第１ディジタルストリームYCbCr１または第３デジタルストリームYCbCr３を出力ディジタルストリームYCbCrｏｕｔとしてビデオエンコーダ４２およびＤＶＩインタフェース４４に出力する。
【００４０】
出力データストリームYCbCrｏｕｔに基づき、ビデオエンコーダ４２は（殊にディジタル−アナログ変換の後）、可視化可能なアナログビデオ信号を第２Scartコネクタに出力する。ここでこのScartコネクタは、（ＣＶＢＳ信号を伝える）ピンＡｏｕｔと、（ＲＧＢ信号を伝える）ピンＲｏｕｔ，Ｇｏｕｔ，Ｂｏｕｔとを有する。ビデオディスプレイをこの第２Scartコネクタに接続することによって出力ディジタルストリームYCbCrｏｕｔによって表されるビデオシーケンスを見ることができる。ユーザの好みに依存してＣＶＢＳ信号またはＲＧＢ信号を使用することができる。
【００４１】
さらにＤＶＩインタフェース４４は、出力ディジタルストリームYCbCrｏｕｔをＤＶＩフォーマットにしたがって変換し、相応するデータをディジタルコネクタＤｏｕｔに出力する。これは例えばディジタルビデオカメラまたはパーソナルコンピュータに接続するためである。
【００４２】
ディジタルスイッチ４０は、２つのメインモードにしたがい、マイクロプロセッサによって制御可能である。
【００４３】
第１モードでは、ディジタルスイッチ４０は、ユーザの選択にしたがって、このビデオ装置によって出力されるビデオシーケンスを選択するために使用される。例えば、ユーザが第１Scartコネクタにおいて受信したＣＶＢＳ信号を見ようとし、その一方でフロントエンド２２から得られるアナログ信号を記録しようとする場合、第１セレクタ２４は制御されて、ピンＡｉｎが第１ビデオデコーダ２８に接続され、またディジタルスイッチ４０が制御されて、第１ビデオデコーダ２８がビデオエンコーダ４２に接続される。同時に第２セレクタ２６が制御されて、フロントエンド２２の出力側が第２ビデオデコーダ３０に接続される。そのディジタル出力ストリームYCbCr２は、（ＭＰＥＧエンコーダ３２において）ＭＰＥＧストリームに変換されてＨＤＤ３６に記録される。
【００４４】
第２モードにおいてディジタルスイッチ４０は、ビデオ信号をピクチャインピクチャ方式で混合するために使用される。例えば、ユーザは、フロントエンド２２から得られるスケールダウンされた画像を、第１ScartコネクタにおいてＲＧＢ信号として受信したビデオシーケンス（例えばパーソナルコンピュータから受信したビデオシーケンス）にスーパーインポーズすることを要求することがある。
【００４５】
これを実現するため、マイクロプロセッサは、第１セレクタ２４に指示して、フロントエンド２２を第１ビデオデコーダ２８に接続し、また第１ビデオデコーダ２８に指示して、ディジタルストリームYCbCr１がスケールダウンされて生成されるようにし（フィリップス社製のSAA7118  ICのスケール機能を参照されたい）、またＭＰＥＧデコーダ３８に同期化させる（第１ビデオデコーダ２８からＭＰＥＧデコーダ３８に転送される同期化信号Ｓｙｎｃのおかげで可能である）。またこのマイクロプロセッサは、第２ビデオデコーダ３０に指示して、ＲＧＢ入力側（Ｒｉｎ，Ｇｉｎ，Ｂｉｎ）からの信号が使用されるようにし、またディジタルセレクタ３４に指示して、ＭＰＥＧエンコーダ３２がＭＰＥＧデコーダ３８に接続され、これにより、ＲＧＢ入力側からのビデオシーケンスが、一旦ディジタル化されて、第３ディジタルストリームYCbCr３としてディジタルスイッチ４０に転送されるようにする。このマイクロプロセッサは、ディジタルスイッチ４０を制御して、ディジタルストリームYCbCr１のアクティブ部分がディジタルストリームYCbCr３にスーパーインポーズされるようにする。これは例えば特許明細書WO 95/35 625に記載されている通りである。
【００４６】
このモードに対する第２の例として、上記とは異なり、スケーリングされたYCbCr３がＭＰＥＧデコーダ３８から到来することがある。しかしながら同期化信号Syncはビデオデコーダ２８から到来し続ける。
【００４７】
これらの例によって明確に示されるのは、本発明によって提案される構成により、到来する任意のタイプのアナログ信号を、複雑なアナログスイッチなしに混合できることである。当然のことながら、（例えばフロントエンド２２に対して）到来するアナログ信号と、ディジタルソース（例えばＨＤＤ３６）との混合も同様に可能である（第１ビデオデコーダ２８により、フロントエンド出力がディジタル化されて、ディジタルスイッチ４０により、このディジタル化されたストリームと、ＭＰＥＧデコーダ３８の出力とが混合される）。
【００４８】
さらにこの構成は、混合されたビデオシーケンスがすでにディジタルストリーム（YCbCrｏｕｔ）として利用可能であるという利点があり、これは今日のものよりも格段に有利である。
【００４９】
最後に、２つのアナログビデオ信号を受信する場合、混合が行われない場合であっても、２つのビデオデコーダ２８，３０を設けることによって、アナログ信号のうちの１つを第１の目的のためにディジタル化し、また第２アナログ信号を第２の目的のためにディジタル化することができる。ここでこの第１の目的は、例えば、（特許明細書EP 1 128 673に提案される技術にしたがい、第１ビデオデコーダ２８およびビデオエンコーダ４２を介して）改善された画像で見ることであり、また第２の目的は、例えば（第２ビデオデコーダ２８およびＭＰＥＧエンコーダ３２を介する）記録である。
【００５０】
本発明により、低減された回路構成要素量で、このビデオ装置の最大限の使い方が得られる。
【図面の簡単な説明】
【００５１】
【図１】ビデオ装置の概略図である。
【図２】ディジタルビデオレコーダの概略図である。
【図１】
2005538579.tif 000003
【図２】
2005538579.tif 000004
【手続補正書】
【提出日】平成16年7月2日(2004.7.2)
【手続補正１】
【補正対象書類名】特許請求の範囲
【補正対象項目名】全文
【補正方法】変更
【補正の内容】
【特許請求の範囲】
【請求項１】
ビデオ装置において、
−  圧縮されたディジタルデータを伸張しかつ第１ディジタルストリーム（YCbCr１；YCbCr２）を生成するディジタルデコーダ（６；３８）と、
−  第１アナログ信号のビデオソース（２；２４）と、
−  ビデオエンコーダ（１２；４２）と、
−  前記の第１アナログ信号（ＣＶＢＳｉｎ；Ａ１）に基づいて第２ディジタルストリーム（YCbCr２；YCbCr１）を生成する、上記ビデオソース（２；２４）に接続可能な第１ビデオデコーダ（４；２８）と、
−  前記の第１ビデオデコーダ（４；２８）およびディジタルデコーダ（６；３８）に結合されて、第２ディジタルストリーム（YCbCr２；YCbCr１）および第１ディジタルストリーム（YCbCr１；YCbCr２）をビデオエンコーダ（１２；４２）への出力データストリーム（YCbCrｏｕｔ）に混合することのできる混合手段（１０，Ｓｙｎｃ；４０，Ｓｙｎｃ）とを含むことを特徴とする
ビデオ装置。
【請求項２】
ディジタルエンコーダ（３０，３２）により、第２アナログ信号（Ａ２）に基づいて第３ディジタルストリームが生成され、
該ディジタルエンコーダ（３０，３２）は、上記ディジタルデコーダ（３８）に接続可能であり、これによって前記第３ディジタルストリームがディジタルデコーダ（３８）に転送される、
請求項１に記載のビデオ装置。
【請求項３】
前記のディジタルエンコーダ（３０，３２）には第２アナログ信号（Ａ２）をディジタル化するビデオデコーダ（３０）が含まれている、
請求項２に記載のビデオ装置。
【請求項４】
前記のディジタルエンコーダ（３０，３２）およびディジタルデコーダ（３８）は、ディジタルセレクタ（３４）を介してリンクされている、
請求項２または３に記載のビデオ装置。
【請求項５】
前記ディジタルセレクタ（３４）は、媒体インタフェース（３６）に接続されている、
請求項４に記載のビデオ装置。
【請求項６】
ビデオ装置において、
−  第１アナログビデオ信号（Ａ１）に基づいて第１ディジタルストリーム（YCbCr１）を生成する第１ビデオデコーダ（２８）と、
−  第２アナログビデオ信号（Ａ２）に基づいて第２ディジタルストリーム（YCbCr２）を生成する第２ビデオデコーダ（３０）と、
−  少なくとも第２ビデオデコーダ（３０）に接続可能でありかつ第２ディジタルストリーム（YCbCr２）に基づいて第３ディジタルストリーム（YCbCr３）を生成することのできるディジタルプロセッシングユニット（３２，３４，３６，３８）と、
−  前記の第１ビデオデコーダ（２８）およびディジタルプロセッシングユニット（３２，３４，３６，３８）に接続され、第１ディジタルストリーム（YCbCr１）および第３ディジタルストリーム（YCbCr３）から生成される出力ディジタルストリーム（YCbCrｏｕｔ）をビデオエンコーダ（４２）に出力する混合手段（４０）と含むことを特徴とする
ビデオ装置。
【請求項７】
前記ビデオエンコーダ（４２）は、前記出力ディジタルストリーム（YCbCrｏｕｔ）に基づいて出力アナログ信号（Ａｏｕｔ；Ｒｏｕｔ，Ｇｏｕｔ，Ｂｏｕｔ）を出力する
請求項６に記載のビデオ装置。
【請求項８】
前記ディジタルプロセッシングユニットは媒体インタフェース（３６）を含む、
請求項６または７に記載のビデオ装置。
【請求項９】
前記の媒体インタフェース（３６）は、第２ビデオデコーダ（３０）に接続可能であり、これによって前記第２ディジタルストリーム（YCbCr２）に基づいてデータが前記媒体に記録される、
請求項８に記載のビデオ装置。
【請求項１０】
前記の媒体インタフェース（３６）はディジタルスイッチ（４０）に接続可能であり、これによって前記媒体から取り出したデータに基づくディジタルストリームが前記デジタルスイッチ（４０）に出力される、
請求項８または９に記載のビデオ装置。
【請求項１１】
前記第１ビデオデコーダ（２８）により、ディジタルデコーダ（３８）に同期化信号（Ｓｙｎｃ）が供給される、
請求項１から１０までのいずれか１項に記載のビデオ装置。
【国際調査報告】
2005538579.tif 000005
2005538579.tif 000006
2005538579.tif 000007